(57)【特許請求の範囲】
【請求項１】
アンカーボルトの上端ねじ部が挿通されるテンプレートと、上端ねじ部とテンプレートとの間に装着される脱着補助板と、上端ねじ部に螺合してテンプレートを上下から狭持する狭持ナットで構成され、前記脱着補助板は板厚がテンプレートより薄肉状で、外径面がテンプレートの取付け孔に対し、摩擦力で係止する程度で緩やかに嵌合し得る外径寸法に形成されると共に、内径面が上端ねじ部の外径面に対し、摩擦力で係止する程度で緩やかに嵌合し得る内径寸法に形成されており、当該脱着補助板は上下の各狭持ナットから離間して上下方向に対してスライド可能な状態でテンプレートの取付け孔内に装着され且つ、水平方向に対してはテンプレートの取付け孔内で上端ねじ部が変位するのを拘束した状態で仮固着されていることを特徴としたテンプレートの脱着装置。
【発明の詳細な説明】
【０００１】
【発明の属する技術分野】
本発明は、基礎コンクリート中に埋設して上端部を突設させた複数本のアンカーボルトに鉄骨柱の柱脚部を緊結する露出型固定柱脚工法に適用し、上端部にテンプレートを仮固着した状態で柱脚部と整合する所定位置にアンカーボルトを位置決め調整し、アンカーボルトの下端部を基礎コンクリート中に埋設して固定支持した後に、上端部に仮固着していたテンプレートを脱着するために有効なテンプレートの脱着装置に関する。
【０００２】
【従来の技術】
露出型固定柱脚工法では、例えば図１のように基礎コンクリート１上に鉄骨柱の柱脚部２を立設しており、基礎コンクリート１上からは下端部を埋設した複数本（例えば４本以上）のアンカーボルト３の上端ねじ部３ａを突設させ、柱脚部２の下端にはフランジ状のベースプレート４を取り付け、上端ねじ部３ａに注入座金６とダブルナット７でベースプレート４をねじ固着している。
【０００３】
基礎コンクリート１とベースプレート４の間には、収縮モルタルなどのグラウト材５が介在されており、グラウト材５は予め基礎コンクリート１上にレベル調整用のグラウト材５ａを載置し、柱脚部２の建て込み時にナット７の締め付け調整でベースプレート４によって均しながらレベル調整を行い、固化した後に外周に型枠（図示を省略）を設置して注入座金６の注入口６ａからグラウト材を補充し、ベースプレート４の取付け穴４ａを介して空隙部分に充填している
【０００４】
この露出型固定柱脚工法では、柱脚部２を予め設定した所定位置に建て込むために、基礎コンクリート１上から突設したアンカーボルト３の上端ねじ部３ａを整合させる必要があり、そのための手段として各アンカーボルト３をＸＹＺ軸方向へ位置決め可能なアンカー支持装置を基礎地盤上に立設（図示を省略）すると共に、アンカーボルト３の上端ねじ部３ａには位置決め用の鋼製型板として、図２のようにテンプレート８を狭持ナット９で仮固着している。
【０００５】
テンプレート８は、アンカー支持装置によってアンカーボルト３の位置決め調整を行った後に、アンカーボルト３の外周囲に補強鉄筋を装着して型枠（図示を省略）内へのコンクリート打設で基礎コンクリート１を構築するまで仮固着しておき、レベル調整用のグラウト材５ａの載置及び柱脚部２の建て込み時にはアンカーボルト３から取り外される。
【０００６】
【発明が解決しようとする課題】
この露出型固定柱脚工法におけるテンプレート８は、アンカー支持装置によって各アンカーボルト３をＸＹＺ軸方向へ位置決め調整した際に、各アンカーボルト３の上端ねじ部３ａ，３ａの水平間隔（Ｘ方向及びＹ方向）が変動しないように、上端ねじ部３ａを挿通させるテンプレート８の取付け孔は、上端ねじ部３ａの外径より僅かに大径に形成されている。
【０００７】
このように、テンプレート８の取付け孔の内径と上端ねじ部３ａの外径との寸法差に余裕が無い状態で、テンプレート８の４個所以上で嵌合されているので、基礎コンクリート１を構築した後に取り外す際に、例えばテンプレート８の傾きなどによって、各アンカーボルト３の上端ねじ部３ａが僅かに変位した状態になった場合でも、両者の間が係止されて脱着不能になる恐れがあった。
【０００８】
また、無理に脱着させようとすると、上端ねじ部３ａのねじ山を損傷させて柱脚部２のベースプレート４に対するねじ固着が困難になったり、上端ねじ部３ａを湾曲させて柱脚部２を所定位置に設置できなくなったりする恐れもあり、やむを得ず取付け孔の近辺を切断して脱着させると、テンプレート８を繰り返し再利用できないので不経済であるなどの課題があった。
【０００９】
そこで本発明では、これら従来技術の課題を解消し得る露出型固定柱脚工法におけるテンプレートの脱着装置を提供するものであり、複数のアンカーボルトに対して相互干渉することなく、安価な構成によって各アンカーボルトの上端ねじ部からテンプレートを容易に取り外し、繰り返し再利用できるようにしたことを主たる目的とする。
【００１０】
【課題を解決するための手段】
本発明によるテンプレートの脱着装置は、アンカーボルトの上端ねじ部が挿通されるテンプレートと、上端ねじ部とテンプレートとの間に装着される脱着補助板と、上端ねじ部に螺合してテンプレートを上下から狭持する狭持ナットで構成され、前記脱着補助板は板厚がテンプレートより薄肉状で、外径面がテンプレートの取付け孔に対し、摩擦力で係止する程度で緩やかに嵌合し得る外径寸法に形成されると共に、内径面が上端ねじ部の外径面に対し、摩擦力で係止する程度で緩やかに嵌合し得る内径寸法に形成されている。
【００１１】
このテンプレートの脱着装置では、脱着補助板をアンカーボルトの上端ねじ部に仮固着して基礎コンクリートを構築するまでの間は、脱着補助板は狭持ナット間で上下方向に対してスライド可能であると共に、水平方向に対してはテンプレートの取付け孔内で上端ねじ部が変位するのを拘束した状態で介在し、これにより各アンカーボルトの上端ねじ部を定位置に安定保持させることができる。
【００１２】
また、テンプレートを取り外して柱脚部の建て込み作業を行う際には、上端ねじ部から上部側の狭持ナットを取り外した状態にし、テンプレートに対して下面側から上方へ打撃を加えると、その衝撃及び振動によってテンプレートが傾き、先端ねじ部と干渉することなく、脱着補助板から各取付け孔の内径面が引き離されるので、容易に脱着することが可能である。
【００１３】
従って、取り外したテンプレート及び脱着補助板は繰り返し再利用することが可能であり、きわめて経済的であると共に、テンプレートを取り外す際に上端ねじ部を損傷させたり湾曲させる恐れもないので、その後の柱脚部の建て込み作業を容易且つ正確に行うことができる。。
【００１４】
【発明の実施の形態】
以下に、本発明によるテンプレートの脱着装置について、その好適な実施形態を示す図３〜５に基づいて詳細に説明するが、図３は脱着装置の組み付け状態における要部正面図を示し、図４は脱着装置を拡大した模式図を示し、図５は脱着装置の脱着状態における要部正面図を示す。
【００１５】
脱着装置１０は、図３で示すように、アンカーボルト１１の上端ねじ部１２が挿通されるテンプレート１３と、上端ねじ部１２とテンプレート１３との間に装着される脱着補助板１４と、上端ねじ部１２に螺合してテンプレート１３を上下から狭持する狭持ナット１５，１６によって構成されている。
【００１６】
テンプレート１３は、従来技術の場合と同様に方形板状で上端ねじ部１２が挿通される４個所以上の取付け孔を備えているが、この取付け孔１３ａの内径寸法は従来技術の場合のように上端ねじ部１２の外径寸法より僅かに大径のものとは異なり、十分な寸法差で遊嵌される内径寸法に設定されている。
【００１７】
脱着補助板１４は、図４で示すように、板厚がテンプレート１３より薄肉状に形成され、外径面１４ａはテンプレート１３の取付け孔１３ａに対し、摩擦力で係止する程度で緩やかに嵌合し得る外径寸法Ｄ１に形成されると共に、内径面１４ｂは上端ねじ部１２の外径面に対し、摩擦力で係止する程度で緩やかに嵌合し得る内径寸法Ｄ２に形成されている。
【００１８】
なお、図示の実施形態では脱着補助板１４を内外径面１４ｂ，１４ａが共に円形のリング状（円環状）に形成したが、外径面１４ａは必ずしも円形にする必要はなく、テンプレート１３の各取付け孔１３に嵌合する形状であれば良く、外径面１４ａ及び各取付け孔１３を例えば方形状を含む多角形状や楕円形状などにした形態を採ることも可能である。
【００１９】
従って、アンカーボルト１１の上端ねじ部１２をテンプレート１３及び脱着補助板１４に挿通させ、上端ねじ部１２に螺合させた狭持ナット１５，１６でねじ固着すると、テンプレート１３は上下から狭持されるが、脱着補助板１４は狭持ナット１５，１６から離間した状態となり、上下方向に対してスライド可能であると共に、水平方向に対してはテンプレート１３の取付け孔１３ａ内で上端ねじ部１２が変位するのを拘束した状態で仮固着されている。
【００２０】
次に、上端ねじ部１２からテンプレート１３を取り外す際には、図５（ａ）で示すように、上部側の狭持ナット１５を取り外した後に、ハンマーなどの打撃手段でテンプレート１３の下面側から上方（矢印）への打撃を加えると、その衝撃及び振動によって図５（ｂ）で示すように、脱着補助板１４の外周面からテンプレート１３を容易に離脱させることができる。
【００２１】
すなわち、従来技術の場合には各アンカーボルト３の先端ねじ部３ａが、テンプレート８の各取付け孔に挿通されているので、脱着する際にテンプレート８が傾くと各取付け孔の内周面がねじ溝に食い込んで脱着不能になるのに対し、脱着補助板１４を介在させたことにより、衝撃及び振動でテンプレート１３が傾くと先端ねじ部１２と干渉することなく、脱着補助板１４から各取付け孔１３の内径面１３ａが引き離されるので、容易に脱着することが可能である。
【００２２】
その後に、上端ねじ部１２から脱着補助板１４と下部側の狭持ナット１６を取り外し、従来技術の場合と同様に上端ねじ部１２を介して基礎コンクリート上に柱脚部の建て込み作業を行うが、取り外したテンプレート１３及び、脱着補助板１４は繰り返し再利用することが可能であると共に、テンプレート１３を取り外す際に上端ねじ部１２を損傷させたり湾曲させる恐れもない。
【図面の簡単な説明】
【図１】本発明のテンプレートの脱着装置を適用する実施対象である露出型固定柱脚工法による建物基礎の要部を、一部は断面で示す正面図である。
【図２】従来技術によるテンプレートの脱着装置の要部を、一部は断面で示す正面図である。
【図３】本発明を適用した実施形態によるテンプレートの脱着装置であって、組み付け状態における要部を一部は断面で示す正面図である。
【図４】図３によるテンプレートの脱着装置の一部を拡大した模式図である。
【図５】図３によるテンプレートの脱着装置の脱着状態における要部を、一部は断面で示す正面図である
【符号の説明】
１  基礎コンクリート
２  柱脚部
３，１１  アンカーボルト
３ａ，１２  上端ねじ部
４  ベースプレート
４ａ  １３ａ  取付け孔
５  グラウト材
６  注入座金
６ａ  注入口
７  ダブルナット
８，１３  テンプレート
９，１５，１６  狭持ナット
１０  脱着装置
１４  脱着補助板
１４ａ  （脱着補助板の）外径面
１４ｂ  （脱着補助板の）内径面
Ｄ１  外径寸法
Ｄ２  内径寸法
【図１】
0003762898.tif 000002
【図２】
0003762898.tif 000003
【図３】
0003762898.tif 000004
【図４】
0003762898.tif 000005
【図５】
0003762898.tif 000006